(57)【要約】  ケース部材の外側から、コイル側端子をインバータ側配線部材に接続できる端子台を実現する。端子台１は、ケース部材ＣＳの外側から内側に向かって挿入された雄ネジ部材６が配置されるネジ挿入孔２と、コイル側端子９が挿入されるコイル端子挿入孔４と、雌ネジ保持部１３と、を備える。第一端子８は、コイル端子挿入孔４とネジ挿入孔２との交差部１４に配置され、雌ネジ保持部１３は、交差部１４よりも軸方向内側ＸＩに形成され、雄ネジ部材が、第一端子８の貫通孔１５及びコイル側端子９の貫通孔１６を貫通し、雌ネジ部材５に螺合されることにより、コイル側端子９が第一端子８に固定される。
2016035476.tif 000002
【特許請求の範囲】
【請求項１】
ケース部材の内側に収容された電動機のコイルと前記ケース部材の外側に配置されたインバータとの電気的な接続経路に設けられ、前記コイル側の端子であるコイル側端子を、前記インバータ側の配線部材であるインバータ側配線部材に接続するための端子台であって、
前記インバータ側配線部材と前記コイル側端子とを電気的に接続する接続部材と、前記接続部材の一方の端子である第一端子に前記コイル側端子を固定する締結部材と、前記接続部材を保持する端子台本体部と、を備え、
前記締結部材は、雌ネジ部材と、前記雌ネジ部材に螺合される雄ネジ部材とを備え、
前記端子台本体部は、前記ケース部材に取り付けられる取付部と、前記ケース部材の外側から内側に向かって挿入された前記雄ネジ部材が配置されるネジ挿入孔と、前記ケース部材の内側に配置され、前記コイル側端子が挿入されるコイル端子挿入孔と、前記雌ネジ部材を保持する雌ネジ保持部と、を備え、
前記コイル端子挿入孔は、前記ネジ挿入孔に交差するように形成され、
前記第一端子は、前記コイル端子挿入孔と前記ネジ挿入孔との交差部に配置され、
前記ネジ挿入孔に配置された前記雄ネジ部材の回転軸心に平行な方向を軸方向とし、前記軸方向において前記ケース部材の内側に向かう方向側を軸方向内側とし、
前記雌ネジ保持部は、前記ネジ挿入孔における、前記交差部よりも前記軸方向内側の部分に形成され、
前記雄ネジ部材が、前記第一端子に設けられた貫通孔及び前記コイル側端子に設けられた貫通孔を貫通し、前記雌ネジ部材に螺合されることにより、前記コイル側端子が前記第一端子に固定される端子台。
【請求項２】
前記コイル側端子は、前記コイル端子挿入孔における、前記第一端子よりも前記軸方向内側の空間に挿入され、
前記雌ネジ保持部は、前記雌ネジ部材の前記軸方向の移動を許容する軸方向移動空間と、前記雌ネジ部材の回転を規制する回転規制部と、を備える請求項１に記載の端子台。
【請求項３】
前記雌ネジ保持部は、前記雌ネジ部材の前記軸方向の移動を一定範囲内に規制する軸方向移動規制部を有する請求項１又は２に記載の端子台。
【請求項４】
前記ケース部材は、前記電動機を収容する第一ケース部材と、前記第一ケース部材に連結される第二ケース部材とを備え、前記第一ケース部材と前記第二ケース部材とは、互いに連通する内側空間を形成し、
前記インバータは、前記第二ケース部材と前記第二ケース部材の外側面に接合される収容室カバー部材とにより囲まれたインバータ収容室に収容され、
前記取付部は、前記第二ケース部材における前記インバータ収容室を形成する部分に形成されたケース開口部に取り付けられ、
前記コイル側端子は、前記内側空間において、前記第一ケース部材側から前記第二ケース部材側に延びている請求項１から３のいずれか一項に記載の端子台。
【請求項５】
前記ネジ挿入孔における前記ケース部材の外側の開口部を覆って密閉する挿入孔カバー部材を更に備え、
前記取付部は、前記ケース部材に形成されたケース開口部に取り付けられると共に、前記ケース開口部との間を密閉する密閉部を有し、
前記接続部材は、前記第一端子から、前記端子台本体部の内部を前記ケース部材の外側に向かって延びる内部延出部と、前記ケース部材の外側において前記内部延出部から前記端子台本体部の外側に突出し、前記インバータ側配線部材に接続される外側延出部と、を備える請求項１から４のいずれか一項に記載の端子台。
【請求項６】
前記コイル側端子は、前記コイル端子挿入孔における、前記第一端子よりも前記軸方向内側の空間に挿入され、
前記雌ネジ部材は、前記雄ネジ部材が前記雌ネジ部材に螺合されていない状態で、前記交差部に突出しないように、前記雌ネジ保持部内に配置されている請求項１から５のいずれか一項に記載の端子台。
【請求項７】
前記雌ネジ保持部は、前記軸方向内側とは反対方向側である軸方向外側への前記雌ネジ部材の移動を抑制する係止部を有し、
前記係止部は、前記雌ネジ部材の自重により前記雌ネジ部材に作用し得る前記軸方向外側向きの力よりも大きく、前記雌ネジ部材と前記雄ネジ部材との螺合により前記雌ネジ部材に作用する前記軸方向外側向きの力よりも小さい前記軸方向の保持力を生じさせる請求項６に記載の端子台。
【発明の詳細な説明】
【技術分野】
【０００１】
ケース部材の内側に収容された電動機のコイル側の端子と、ケース部材の外側に配置されたインバータ側の配線部材とを接続するための端子台に関する。
【背景技術】
【０００２】
特開２００８−３０１５７２号公報（特許文献１）には、ケース部材の内側に収容された電動機のコイルとケース部材の外側に配置されたインバータとの電気的な接続経路に設けられた端子台が開示されている。この端子台は、コイル側の端子であるコイル側端子を、インバータ側の配線部材であるインバータ側配線部材に接続する。特許文献１の技術では、端子台は、ケース部材の内側に設けられている。このため、コイル側端子をインバータ側配線部材に固定する場合には、ケース部材の一部である着脱部（１８）を取り外し、着脱部（１８）を介して、ケース部材の外側から内側に工具を挿入し、ケース部材の内側に配置されたボルト等を締結する必要がある。つまり、特許文献１の技術では、電動機とインバータとを接続する配線部材が通る穴とは別に、ケース部材の内側で結線作業を行うための開口部（いわゆるサービスホール）を、ケース部材に設ける必要がある。また、この開口部を塞ぐ蓋部材を設ける必要もある。よって、工具を挿入可能な位置に開口部を設ける必要があるなど、ケース部材の形状を変更する必要が生じたり、レイアウトの制約条件が増加したりすると共に、ケース部材のサイズ、部品点数、重量及び作業工数が増加する。
【先行技術文献】
【特許文献】
【０００３】
【特許文献１】特開２００８−３０１５７２号公報
【発明の概要】
【発明が解決しようとする課題】
【０００４】
そこで、ケース部材の外側から、コイル側端子をインバータ側配線部材に接続できる端子台の実現が望まれる。
【課題を解決するための手段】
【０００５】
１つの態様として、上記に鑑みた、ケース部材の内側に収容された電動機のコイルと前記ケース部材の外側に配置されたインバータとの電気的な接続経路に設けられ、前記コイル側の端子であるコイル側端子を、前記インバータ側の配線部材であるインバータ側配線部材に接続するための端子台は、前記インバータ側配線部材と前記コイル側端子とを電気的に接続する接続部材と、前記接続部材の一方の端子である第一端子に前記コイル側端子を固定する締結部材と、前記接続部材を保持する端子台本体部と、を備え、前記締結部材は、雌ネジ部材と、前記雌ネジ部材に螺合される雄ネジ部材とを備え、前記端子台本体部は、前記ケース部材に取り付けられる取付部と、前記ケース部材の外側から内側に向かって挿入された前記雄ネジ部材が配置されるネジ挿入孔と、前記ケース部材の内側に配置され、前記コイル側端子が挿入されるコイル端子挿入孔と、前記雌ネジ部材を保持する雌ネジ保持部と、を備え、前記コイル端子挿入孔は、前記ネジ挿入孔に交差するように形成され、前記第一端子は、前記コイル端子挿入孔と前記ネジ挿入孔との交差部に配置され、前記ネジ挿入孔に配置された前記雄ネジ部材の回転軸心に平行な方向を軸方向とし、前記軸方向において前記ケース部材の内側に向かう方向側を軸方向内側とし、前記雌ネジ保持部は、前記ネジ挿入孔における、前記交差部よりも前記軸方向内側の部分に形成され、前記雄ネジ部材が、前記第一端子に設けられた貫通孔及び前記コイル側端子に設けられた貫通孔を貫通し、前記雌ネジ部材に螺合されることにより、前記コイル側端子が前記第一端子に固定される。【０００６】
この構成によれば、第一端子に設けられた貫通孔及びコイル側端子に設けられた貫通孔を雄ネジ部材が貫通し、雌ネジ部材に螺合されることにより、コイル側端子が第一端子に固定される。そして、雄ネジ部材は、ケース部材の外側から内側に向かってネジ挿入孔に挿入される。即ち、この構成によれば、ケース部材の外側から、コイル側端子をインバータ側配線部材に接続できる端子台が実現される。従って、結線作業のために、特許文献１のような開口部（サービスホール）を、ケース部材に設ける必要がない。換言すれば、ケース部材に設ける必要があるのは、電動機とインバータとの間の配線部材を通す穴のみでよく、ケース部材の形状の自由度が増し、ケース部材の大型化や重量増加を招く可能性も減少する。
【図面の簡単な説明】
【０００７】
【図１】ケース部材に取り付けられた状態の端子台の断面図
【図２】ケース部材に取り付けられた状態の端子台の要部断面図
【図３】端子台の分解斜視図
【図４】蓋部材が端子台本体部に取り付けられていない状態で、端子台を軸方向外側に見た側面図
【図５】端子台の分解断面図
【発明を実施するための形態】
【０００８】
１．実施形態
以下、端子台１の実施形態について、図面を参照して説明する。図１は、端子台１が取り付けられた駆動装置の断面図であり、図２は、ケース部材ＣＳに取り付けられた状態の端子台１の断面図であり、図３は、端子台１の分解斜視図であり、図４は、蓋部材２９が端子台本体部３に取り付けられていない状態で、端子台１を軸方向外側ＸＯに見た側面図であり、図５は、端子台１の分解断面図である。
【０００９】
端子台１は、図１及び図２などに示すように、ケース部材ＣＳの内側に収容された電動機ＭＧのコイルＣＯとケース部材ＣＳの外側に配置されたインバータＩＮとの電気的な接続経路に設けられ、コイルＣＯ側の端子であるコイル側端子９を、インバータＩＮ側の配線部材であるインバータ側配線部材１２に接続する。
【００１０】
端子台１は、インバータ側配線部材１２とコイル側端子９とを電気的に接続する接続部材７と、接続部材７の一方の端子である第一端子８にコイル側端子９を固定する締結部材１１と、接続部材７を保持する端子台本体部３と、を備えている。締結部材１１は、雌ネジ部材５と、雌ネジ部材５に螺合される雄ネジ部材６とを備えている。
【００１１】
端子台本体部３は、ケース部材ＣＳに取り付けられる取付部１０と、ケース部材ＣＳの外側から内側に向かって挿入された雄ネジ部材６が配置されるネジ挿入孔２と、ケース部材ＣＳの内側に配置され、コイル側端子９が挿入されるコイル端子挿入孔４と、雌ネジ部材５を保持する雌ネジ保持部１３と、を備えている。
【００１２】
コイル端子挿入孔４は、ネジ挿入孔２に交差するように形成されている。すなわち、コイル端子挿入孔４とネジ挿入孔２は交差し、互いに連通している。接続部材７の第一端子８は、コイル端子挿入孔４とネジ挿入孔２との交差部１４に配置されている。雌ネジ保持部１３は、ネジ挿入孔２における、交差部１４よりも軸方向内側ＸＩの部分に形成されている。
【００１３】
雄ネジ部材６が、第一端子８に設けられた貫通孔１５及びコイル側端子９に設けられた貫通孔１６を貫通し、雌ネジ部材５に螺合されることにより、コイル側端子９が第一端子８に固定される。これによって、第一端子８及びコイル側端子９を、雄ネジ部材６及び雌ネジ部材５により軸方向両側から挟み込み、接続することができる。
【００１４】
ここで、軸方向Ｘは、ネジ挿入孔２に配置され、雌ネジ部材５に螺合された雄ネジ部材６の回転軸心Ｃに平行な方向である。なお、雄ネジ部材６の回転軸心Ｃは、雌ネジ保持部１３に保持された雌ネジ部材５のネジ孔の軸心と一致している。軸方向内側ＸＩは、軸方向Ｘにおいて、ケース部材ＣＳの内側に向かう方向側であり、軸方向外側ＸＯは、軸方向Ｘにおいて、ケース部材ＣＳの外側に向かう方向側であり、軸方向内側ＸＩとは反対方向側である。
【００１５】
コイル端子挿入孔４が延びる方向を孔延出方向Ｚとする。孔延出方向ＺにおいてコイルＣＯ側に向かう方向側を、孔延出方向第一側Ｚ１とし、孔延出方向ＺにおいてコイルＣＯとは反対側に向かう方向側であり、孔延出方向第一側Ｚ１とは反対方向側を、孔延出方向第二側Ｚ２とする。また、軸方向Ｘ及び孔延出方向Ｚと直交する方向を直交方向Ｙとする（図３参照）。
【００１６】
本実施形態では、端子台１は、３つのコイル側端子９を備えた三相交流式の電動機ＭＧに対応した端子台であり、図３及び図４に示すように、３つの接続部材７及び締結部材１１を備えている。また、端子台本体部３は、各締結部材１１の雄ネジ部材６が挿入される３つのネジ挿入孔２と、各コイル側端子９が挿入される３つのコイル端子挿入孔４と、各締結部材１１の雌ネジ部材５を保持する３つの雌ネジ保持部１３と、を備えている。  本実施形態では、３つの雄ネジ部材６（ネジ挿入孔２）が互いに平行な状態で、直交方向Ｙに沿って一列に並べられていると共に、３つのコイル側端子９（コイル端子挿入孔４）が、３つの雄ネジ部材６の配設ピッチと同じピッチで、互いに平行な状態で直交方向Ｙに沿って一列に並べられている。よって、３つの雄ネジ部材６（ネジ挿入孔２）及びコイル側端子９（コイル端子挿入孔４）が一列に並べられている方向は、直交方向Ｙと一致している。
【００１７】
＜ケース開口部２３への取付け＞
端子台１は、取付部１０によりケース部材ＣＳに取り付けられる。本実施形態では、図１、図２に示すように、取付部１０は、ケース部材ＣＳに形成された開口部であるケース開口部２３に取り付けられると共に、ケース開口部２３との間を密閉する密閉部（後述するシール部材２５）を有している。よって、端子台１は、ケース開口部２３を塞ぐようにケース部材ＣＳに取り付けられる。
【００１８】
本実施形態では、図１に示すように、ケース部材ＣＳは、電動機ＭＧを収容する第一ケース部材ＣＳ１と、第一ケース部材ＣＳ１に連結される第二ケース部材ＣＳ２とを備えている。第一ケース部材ＣＳ１は、第二ケース部材ＣＳ２の孔延出方向第一側Ｚ１に配置される。また、ケース部材ＣＳは、第一ケース部材ＣＳ１に連結される第三ケース部材ＣＳ３を備えており、第三ケース部材ＣＳ３は、第一ケース部材ＣＳ１の孔延出方向第一側Ｚ１に配置される。
【００１９】
第一ケース部材ＣＳ１と第二ケース部材ＣＳ２は、互いに連通する内側空間２０を形成している。コイル側端子９は、内側空間２０において、第一ケース部材ＣＳ１側から第二ケース部材ＣＳ２側に延びている。より詳細には、第一ケース部材ＣＳ１の内側に配置されたコイルＣＯからコイル接続導体３５が、第二ケース部材ＣＳ２の内側まで孔延出方向第二側Ｚ２に延びており、コイル接続導体３５の孔延出方向第二側Ｚ２の先端にコイル側端子９が取り付けられている。
【００２０】
インバータＩＮは、第二ケース部材ＣＳ２と、第二ケース部材ＣＳ２の外側面に接合される収容室カバー部材２１と、により囲まれたインバータ収容室２２に収容されている。ケース開口部２３は、第二ケース部材ＣＳ２におけるインバータ収容室２２を形成する部分に形成されている。なお、本実施形態では、ケース部材ＣＳは、図１に外形のみを示すように、車輪に電動機ＭＧの駆動力を伝達する変速装置などの動力伝達装置３６も収容している。
【００２１】
端子台本体部３は、ケース部材ＣＳの内側に配置される部分を有する。少なくともコイル端子挿入孔４及び雌ネジ保持部１３は、ケース部材ＣＳの内側に配置される。そして、ケース部材ＣＳの内側の内側空間２０において、電動機ＭＧのコイルＣＯから延びているコイル側端子９がコイル端子挿入孔４に挿入される。
【００２２】
ここで、ケース部材ＣＳの内側とは、端子台１の取付部１０がケース部材ＣＳに取り付けられた状態で、ケース部材ＣＳの内部に露出する部分又は領域を意味する。また、ケース部材ＣＳの外側とは、端子台１の取付部１０がケース部材ＣＳに取り付けられた状態で、ケース部材ＣＳの外部に露出する部分又は領域を意味する。なお、インバータ収容室２２は、ケース部材ＣＳの外側面４８により囲まれて形成されているため、インバータ収容室２２の内側空間は、ケース部材ＣＳの外側である。
【００２３】
＜ネジ挿入孔２＞
ネジ挿入孔２には、ケース部材ＣＳの外側から内側に向かって挿入された雄ネジ部材６が配置される。ネジ挿入孔２は、端子台本体部３内をケース部材ＣＳの外側から内側に向かって、軸方向Ｘに延びており、ケース部材ＣＳの外側と内側とを軸方向Ｘに連通する。本実施形態では、軸方向Ｘは、電動機ＭＧの回転軸心Ａと直交している。
【００２４】
本実施形態では、図２、図３及び図５に示すように、雄ネジ部材６は、外周面にネジ山が形成された円柱状の軸部４２と、軸部４２を回転させるねじ回し等の工具が嵌合される頭部４３とを備えている。雄ネジ部材６は、図３に示すように、ケース部材ＣＳの外側から内側に向かって、軸部４２の先端からネジ挿入孔２に挿入される。このため、雄ネジ部材６がネジ挿入孔２に挿入された状態において、頭部４３は、軸部４２よりもケース部材ＣＳの外側（軸方向外側ＸＯ）に配置され、頭部４３における工具が嵌合する嵌合部（本例では、六角星形の凹部）が、ケース部材ＣＳの外側を向いている。よって、ケース部材ＣＳの外側から、ねじ回しを頭部４３（嵌合部）に取付けて、雄ネジ部材６を回転させ、雌ネジ部材５に螺合させることができる。軸部４２は、第一端子８の貫通孔１５及びコイル側端子９の貫通孔１６を軸方向内側ＸＩに貫通するが、頭部４３は、第一端子８の貫通孔１５及びコイル側端子９の貫通孔１６を貫通せずに、第一端子８及びコイル側端子９の軸方向外側ＸＯに配置される。軸部４２が雌ネジ部材５のネジ孔に螺合されると、頭部４３の回転に応じて、雌ネジ部材５が軸方向移動空間１７内を軸方向外側ＸＯに移動する。これにより第一端子８及びコイル側端子９が、軸方向外側ＸＯに配置された頭部４３と、軸方向内側ＸＩに配置された雌ネジ部材５とにより軸方向両側から挟まれて、コイル側端子９が第一端子８に固定される。このように、ケース部材ＣＳの外側から、ネジ挿入孔２内の雄ネジ部材６を回転させることにより、雄ネジ部材６を雌ネジ部材５に螺合させて、コイル側端子９を第一端子８に固定させることができる。
【００２５】
＜シール機構＞
ケース部材ＣＳの液密性を保ち、ケース部材ＣＳの内側から外側に、潤滑油などが漏れないように、端子台１にはシール機構が備えられている。取付部１０は、上述したように、ケース開口部２３との間を密閉する密閉部を有している。本実施形態では、取付部１０とケース部材ＣＳとの間に、ケース開口部２３の全周を囲む環状の弾性部材からなるシール部材２５が設けられている。このシール部材２５が密閉部に対応する。より詳細には、取付部１０の外周面に、全周に亘って内側に窪む環状の溝が形成されており、当該環状の溝に、環状のシール部材２５が嵌め込まれている。シール部材２５の外周面が、ケース開口部２３の内周面に接して、ケース開口部２３の内周面と取付部１０の外周面との間を密閉している。
【００２６】
端子台１は、ネジ挿入孔２におけるケース部材ＣＳの外側の開口部（以下、外側開口部４４と称す）を覆って密閉する挿入孔カバー部材２４を備えている。本実施形態では、ネジ挿入孔２の外側開口部４４には、３つのネジ挿入孔２の間を直交方向Ｙに仕切る仕切部材が設けられておらず、直交方向Ｙに連通した１つの孔となっている。ネジ挿入孔２は、外側開口部４４を形成するため、螺合後の雄ネジ部材６が内側に配置される部分よりも軸方向外側ＸＯ（ケース部材ＣＳの外側）に延びている。本例では、ネジ挿入孔２は、取付部１０よりも軸方向外側ＸＯ（ケース部材ＣＳの外側）に延びており、当該延出部が、挿入孔カバー部材２４が取り付けられる外側開口部４４である。外側開口部４４が、ケース部材ＣＳよりも外側に突出しているので、外側開口部４４への挿入孔カバー部材２４の脱着が容易である。
【００２７】
挿入孔カバー部材２４は、ネジ挿入孔２の外側開口部４４の内周面に嵌合される。外側開口部４４の内周面と、挿入孔カバー部材２４の外周面との間に、外側開口部４４の全周を囲む環状の弾性部材からなるシール部材３０が設けられる。より詳細には、挿入孔カバー部材２４の外周面に、全周に亘って内側に窪む環状の溝が形成されており、当該環状の溝に、環状のシール部材３０が嵌め込まれている。シール部材３０の外周面が、外側開口部４４の内周面に接して、外側開口部４４の内周面と挿入孔カバー部材２４の外周面との間を密閉している。このように、ケース部材ＣＳの内側と外側を連通するネジ挿入孔２の外側開口部４４を、挿入孔カバー部材２４により密閉し、ケース部材ＣＳの液密性を保つことができる。図３に示すように、挿入孔カバー部材２４の直交方向両側には、それぞれ軸方向内側ＸＩに延びる引っ掛け部３８が備えられている。引っ掛け部３８が、端子台本体部３の直交方向両側に設けられた突出部４１にそれぞれ引っ掛けられて、挿入孔カバー部材２４が端子台本体部３に固定される。
【００２８】
＜コイル端子挿入孔４＞
コイル端子挿入孔４は、ネジ挿入孔２に交差するように形成されており、端子台本体部３内を軸方向Ｘに交差する孔延出方向Ｚに延びている。本実施形態では、ネジ挿入孔２の中心線（本例では、回転軸心Ｃに一致）と、コイル端子挿入孔４の中心線が交差している。孔延出方向Ｚは、軸方向Ｘに直交しており、電動機ＭＧの回転軸心Ａと平行な方向である。コイル端子挿入孔４は、端子台本体部３内をコイルＣＯ側に向かう孔延出方向第一側Ｚ１に延びており、孔延出方向第一側Ｚ１に開口している。コイル端子挿入孔４の孔延出方向第一側Ｚ１の開口端部には、孔延出方向第一側Ｚ１に向かうに従って、断面積が次第に拡大する拡大部４９が設けられている。この拡大部４９により、コイル端子挿入孔４に対して、コイル側端子９を挿入し易くなっている。一方、コイル端子挿入孔４の孔延出方向第二側Ｚ２は開口していない。このため、コイル端子挿入孔４から挿入されたコイル側端子９が孔延出方向第二側Ｚ２の壁に当たると、コイル側端子９は、孔延出方向Ｚにおいて位置決めされる。この位置決めによって、コイル側端子９の貫通孔１６がネジ挿入孔２との交差部１４に配置されて、雄ネジ部材６を貫通させることができる。
【００２９】
また、コイル側端子９の貫通孔１６の孔延出方向Ｚの幅は、雄ネジ部材６の軸部４２の孔延出方向Ｚの幅（軸部４２の外径）よりも長くなっている。本例では、図３に示すように、貫通孔１６は、孔延出方向Ｚに長い長孔形状である。このため、コイル側端子９の位置が、孔延出方向Ｚに沿って多少変動しても、雄ネジ部材６の軸部４２をコイル側端子９の貫通孔１６に貫通させることができる。
【００３０】
＜ケース部材ＣＳの内側への延出＞
本実施形態では、コイル端子挿入孔４は、図１及び図２に示すように、ケース部材ＣＳの内側空間２０においてコイルＣＯから延出しているコイル側端子９がそのまま挿入されるように、ケース部材ＣＳの内側面４５よりも内側（軸方向内側ＸＩ）に配置されている。これに伴い、雌ネジ保持部１３も、ケース部材ＣＳの内側面４５よりも内側（軸方向内側ＸＩ）に配置されている。このため、コイル端子挿入孔４及び雌ネジ保持部１３が形成されている端子台本体部３の部分（以下、内側配置部４６と称す）は、ケース部材ＣＳの内側面４５よりも内側（軸方向内側ＸＩ）に配置されている。端子台本体部３（内側配置部４６）は、図１から図４に示すように、軸方向Ｘに直交する断面の角が丸められた（孔延出方向Ｚ及び直交方向Ｙに延びる当該断面の角が丸められた）直方体状に形成されている。端子台本体部３は、ケース部材ＣＳに取り付けられる取付部１０から、ケース部材ＣＳの内側面４５よりも内側に配置される内側配置部４６まで、ケース部材ＣＳの内側（軸方向内側ＸＩ）に延出している。
【００３１】
取付部１０からコイル端子挿入孔４までの軸方向内側ＸＩの延出長さは、コイルＣＯから延出しているコイル側端子９のケース部材ＣＳの内側における位置や、ケース部材ＣＳの壁の厚さに応じて設定されている。即ち、当該延出長さは、これら（コイルＣＯ、コイル側端子９、ケース部材ＣＳ）の配置に適合している。
【００３２】
＜接続部材７＞
接続部材７の第一端子８は、コイル端子挿入孔４とネジ挿入孔２との交差部１４に配置されている。第一端子８の貫通孔１５の軸心は、雄ネジ部材６の回転軸心Ｃと一致している。第一端子８は、コイル端子挿入孔４内を孔延出方向Ｚに延びている。接続部材７は、図２に示すように、内部延出部２６と外側延出部２７とを備えている。内部延出部２６は、コイル端子挿入孔４に配置された第一端子８から、端子台本体部３の内部をケース部材ＣＳの外側に向かって延びる部分である。外側延出部２７は、ケース部材ＣＳの外側において内部延出部２６から端子台本体部３の外側に突出し、インバータ側配線部材１２に接続される部分である。
【００３３】
この構成によれば、接続部材７を、ケース部材ＣＳの内側に配置される第一端子８から、ケース部材ＣＳの外側に延ばして、ケース部材ＣＳの外側に配置されるインバータ側配線部材１２に接続することができる。また、接続部材７は、端子台本体部３の内部をケース部材ＣＳの外側に向かって延びるので、ケース部材ＣＳの内部を内側から外側に貫通する接続部材７の周囲を端子台本体部３により密閉して、ケース部材ＣＳの液密性を保つことができる。本例では、接続部材７は、端子台本体部３にインサート形成されている。
【００３４】
本実施形態では、接続部材７は、第一端子８の孔延出方向第一側Ｚ１の端部から、ネジ挿入孔２の孔延出方向第一側Ｚ１に位置する端子台本体部３の内部を、軸方向外側ＸＯに延びた後、ケース部材ＣＳの外側を孔延出方向第一側Ｚ１に延びている。
【００３５】
外側延出部２７には、接続部材７の他方の端子である第二端子４７が備えられており、インバータ側配線部材１２が接続される。第二端子４７に設けられた貫通孔及びインバータ側配線部材１２の接続端子に設けられた貫通孔に、雄ネジ部材３１が挿入され、雄ネジ部材３１が雌ネジ部材３２に螺合されることにより、第二端子４７が、インバータ側配線部材１２の接続端子に固定される。ここでは、雌ネジ部材３２は、第二端子４７に対して溶接等により一体的に固定されている。
【００３６】
＜雌ネジ保持部１３の構成＞
雌ネジ保持部１３は、上記したように、ネジ挿入孔２における、交差部１４よりも軸方向内側ＸＩの部分に形成されている。本実施形態では、雌ネジ保持部１３は、雌ネジ部材５の回転を規制する回転規制部１８を備えている。この構成によれば、回転規制部１８により雌ネジ部材５の回転が規制されているので、ケース部材ＣＳの内側で工具等により雌ネジ部材５を保持する必要がなく、ケース部材ＣＳの外側から雄ネジ部材６を回転させるだけで、雄ネジ部材６を雌ネジ部材５に螺合させることができる。
【００３７】
接続部材７の第一端子８は、上記したように、コイル端子挿入孔４とネジ挿入孔２との交差部１４に配置される。本実施形態では、コイル側端子９は、コイル端子挿入孔４における、第一端子８よりも軸方向内側ＸＩの空間に挿入されるように構成されている。雌ネジ保持部１３は、雌ネジ部材５の軸方向Ｘの移動を許容する軸方向移動空間１７を備えている。この構成によれば、コイル側端子９は、第一端子８と雌ネジ部材５との間の空間に挿入される。そして、雄ネジ部材６が雌ネジ部材５に螺合されるに従って、雌ネジ部材５が軸方向外側ＸＯに移動し、第一端子８と雌ネジ部材５とによりコイル側端子９を軸方向両側から挟み込み、コイル側端子９を第一端子８に固定させることができる。雌ネジ保持部１３は、締結部材１１の軸方向Ｘの移動を一定範囲内に規制する軸方向移動規制部１９を有している。
【００３８】
雌ネジ部材５は、軸方向Ｘに貫通するネジ孔を備えており、ネジ孔の内周面にネジ山が形成されている。また、雌ネジ部材５は、外周面に面取り加工がされた面取加工部３４を備えている。この面取加工部３４が雌ネジ保持部１３の回転規制部１８に嵌合して周方向の回転が規制される。本実施形態では、図２及び図３に示すように、雌ネジ部材５の軸方向外側ＸＯ側の部分は、円柱状に形成された円柱状部３３であり、雌ネジ部材５の軸方向内側ＸＩの部分が、図３及び図４に示されるように、円柱状部３３よりも径が拡大した拡大部である。拡大部の外周面は、軸方向Ｘに平行な平面でカットされ、面取り加工がされた面取加工部３４である。本実施形態では、面取加工部３４は、軸方向Ｘに平行な八つの平面でカットされ、軸方向Ｘに直交する断面が八角形状になっている。雌ネジ保持部１３の回転規制部１８も、面取加工部３４に対応して、軸方向Ｘに直交する断面が八角形状になっている。
【００３９】
本実施形態では、雌ネジ保持部１３の軸方向外側ＸＯ側の部分は、円筒状の導入孔５０を有している。この導入孔５０には、雌ネジ部材５の円柱状部３３が軸方向Ｘに貫通すると共に嵌合する。導入孔５０により、雌ネジ保持部１３とコイル端子挿入孔４とが連通する。導入孔５０の中心線は、ネジ挿入孔２の中心線と一致している。導入孔５０の軸方向長さは、円柱状部３３の軸方向長さより短い。図５は、雄ネジ部材６が雌ネジ部材５に螺合する前の状態を示しており、図２は、雄ネジ部材６が雌ネジ部材５に螺合した後の状態を示している。雄ネジ部材６が雌ネジ部材５に螺合されると、円柱状部３３は、導入孔５０を軸方向外側ＸＯに移動してコイル端子挿入孔４の内側に突出し、円柱状部３３の軸方向外側ＸＯ側の端面が、コイル側端子９に当接する。
【００４０】
雌ネジ保持部１３の軸方向外側ＸＯ側の部分は、雌ネジ部材５の面取加工部３４に合わせて面取り加工がされた回転規制部１８である。本実施形態では、図４に示すように、回転規制部１８は、導入孔５０よりも内径が大きく、面取加工部３４に対応した形状をしている。本実施形態では、回転規制部１８は、面取加工部３４に対応して、後述する係止部２８が配置される配置空間３９を除いて、軸方向Ｘに直交する断面が八角形状で、軸方向Ｘに延びる筒状になっている。なお、配置空間３９が設けられる部分では、回転規制部１８の軸方向Ｘに直交する断面の形状は、直交方向Ｙ及び孔延出方向Ｚに平行な辺を有する四角形状（長方形状）になっている。回転規制部１８に、面取加工部３４が嵌合して、雌ネジ部材５の周方向の回転が規制される。図２及び図５に示すように、回転規制部１８の軸方向Ｘの長さは、面取加工部３４の軸方向Ｘの長さより長くされており、面取加工部３４は、回転規制部１８内を軸方向Ｘに移動可能に構成されている。
【００４１】
回転規制部１８の軸方向外側ＸＯ側は、導入孔５０との段差面により部分的に覆われており、回転規制部１８の軸方向内側ＸＩは、蓋部材２９により覆われている。そのため、面取加工部３４の軸方向Ｘの移動は、回転規制部１８の軸方向長さの範囲内に規制されている。本実施形態では、蓋部材２９、及び回転規制部１８と導入孔５０との段差面が軸方向移動規制部１９を構成している。
【００４２】
図５（螺合前）及び図２（螺合後）に示すように、雄ネジ部材６が雌ネジ部材５に螺合されるに従い、面取加工部３４は、回転規制部１８内を軸方向外側ＸＯに移動する。そして、図２に示すように、円柱状部３３の軸方向外側ＸＯ側の端面がコイル側端子９に当接し、雄ネジ部材６の頭部４３との間で第一端子８及びコイル側端子９を挟み込んだとき、面取加工部３４と、回転規制部１８と導入孔５０との段差面との間には隙間が生じる。
【００４３】
＜蓋部材２９＞
雌ネジ保持部１３は、端子台本体部３の軸方向内側ＸＩに開口するように形成されている。蓋部材２９は、端子台本体部３の開口を覆うように、端子台本体部３の軸方向内側ＸＩに取り付けられる。蓋部材２９は、図２及び図３に示すように、端子台本体部３の軸方向内側ＸＩの端面全体を覆うように、角が丸められた矩形板状に形成されている。蓋部材２９の孔延出方向両側には、それぞれ軸方向外側ＸＯに延びる引っ掛け部３７が備えられている。引っ掛け部３７が、端子台本体部３の孔延出方向両側に設けられた突出部４０にそれぞれ引っ掛けられて、蓋部材２９が端子台本体部３に固定される。
【００４４】
＜雌ネジ部材５の係止機構＞
図５に示すように、雌ネジ部材５は、雄ネジ部材６が雌ネジ部材５に螺合されていない状態で、交差部１４（コイル端子挿入孔４）に突出しないように、雌ネジ保持部１３内に配置されている。この構成によれば、雌ネジ部材５がコイル端子挿入孔４に突出していないので、コイル側端子９をコイル端子挿入孔４に挿入し易くなる。
【００４５】
雌ネジ保持部１３は、軸方向外側ＸＯへの雌ネジ部材５の移動を抑制する係止部２８を有している。係止部２８の軸方向Ｘの保持力は、雌ネジ部材５の自重により雌ネジ部材５に作用し得る軸方向外側ＸＯ向きの力よりも大きく、雌ネジ部材５と雄ネジ部材６との螺合により雌ネジ部材５に作用する軸方向外側ＸＯ向きの力よりも小さい。このような保持力により、係止部２８は、雄ネジ部材６が雌ネジ部材５に螺合されていない状態では、雌ネジ部材５が軸方向外側ＸＯに移動しないように雌ネジ部材５を係止する。一方、係止部２８は、雄ネジ部材６が雌ネジ部材５に螺合されることにより雌ネジ部材５に作用する軸方向外側ＸＯへの力が所定値（保持力）よりも大きくなると、雌ネジ部材５の軸方向外側ＸＯへの移動を許容する。よって、雄ネジ部材６を雌ネジ部材５に螺合させる前は、雌ネジ部材５がコイル端子挿入孔４側（軸方向外側ＸＯ）に突出しないように保持させることができるので、コイル側端子９をコイル端子挿入孔４に挿入し易くなる。
【００４６】
本実施形態では、係止部２８は、径が拡大している面取加工部３４を係止する係止爪であり、回転軸心Ｃの径方向内側に向けて尖った三角形状とされている。係止部２８（係止爪）は、雌ネジ部材５が軸方向内側ＸＩに移動した状態で、面取加工部３４の軸方向外側ＸＯに配置されるように形成されている。係止部２８（係止爪）は、面取加工部３４の孔延出方向第一側Ｚ１及び孔延出方向第二側Ｚ２に１つずつ備えられている。係止部２８（係止爪）は、蓋部材２９に備えられており、蓋部材２９の軸方向外側ＸＯの面から軸方向外側ＸＯに突出している。
【００４７】
雌ネジ保持部１３（回転規制部１８）は、係止部２８を配置するための配置空間３９を備えている。配置空間３９は、回転規制部１８における軸方向内側ＸＩの部分において、孔延出方向第一側Ｚ１及び孔延出方向第二側Ｚ２に広がった空間とされている。孔延出方向第一側Ｚ１及び孔延出方向第二側Ｚ２の配置空間３９に、それぞれ係止部２８が配置されている。
【００４８】
＜第一端子８の配置＞
接続部材７の第一端子８は、コイル端子挿入孔４の軸方向Ｘにおける中心部よりも軸方向外側ＸＯに配置されている。このため、コイル端子挿入孔４における第一端子８よりも軸方向内側ＸＩの空間を広げることができ、当該空間にコイル側端子９を挿入し易くなる。本実施形態では、第一端子８は、コイル端子挿入孔４の軸方向外側ＸＯの端面に接するように、コイル端子挿入孔４において軸方向外側ＸＯに寄って配置されている。このため、コイル端子挿入孔４における第一端子８よりも軸方向内側ＸＩの空間を最大限に広げることができている。
【００４９】
本実施形態では、接続部材７は、上記したように、第一端子８の孔延出方向第一側Ｚ１の端部から、ネジ挿入孔２の孔延出方向第一側Ｚ１に位置する端子台本体部３の内部を、軸方向外側ＸＯ（ケース部材ＣＳの外側）に延びた後、ケース部材ＣＳの外側を孔延出方向第一側Ｚ１に延びている。すなわち、接続部材７は、コイル側端子９が挿入されるコイル端子挿入孔４の開口側と同じ側である孔延出方向第一側Ｚ１に、第一端子８から延びている。上記のように、コイル側端子９は、コイル端子挿入孔４における第一端子８よりも軸方向内側ＸＩの空間に挿入される。従って、接続部材７を、第一端子８の孔延出方向第一側Ｚ１の端部から軸方向外側ＸＯに延ばしても、当該軸方向外側ＸＯへの延出部により、コイル側端子９の挿入空間が塞がれることはない。このように、コイル側端子９が、コイル端子挿入孔４における第一端子８よりも軸方向内側ＸＩの空間に挿入されるので、接続部材７の第一端子８からの延出方向の自由度を高めることができる。
【００５０】
＜組付け工程＞
端子台１は、雌ネジ保持部１３に雌ネジ部材５が保持された状態で、ケース部材ＣＳの外側から、ケース部材ＣＳのケース開口部２３に挿入され、取付部１０によりケース部材ＣＳに取り付けられる。本実施形態では、端子台１は、第二ケース部材ＣＳ２のケース開口部２３に取り付けられる。また、蓋部材２９の係止部２８に雌ネジ部材５が係止されており、雌ネジ部材５は、雌ネジ保持部１３の軸方向内側ＸＩに寄って保持されている。
【００５１】
そして、コイル端子挿入孔４に、孔延出方向第一側Ｚ１からコイル側端子９が挿入される。本実施形態では、電動機ＭＧを内側に収容した第一ケース部材ＣＳ１が、孔延出方向第一側Ｚ１から第二ケース部材ＣＳ２に固定される。この際、電動機ＭＧから孔延出方向第二側Ｚ２に延出しているコイル側端子９が、コイル端子挿入孔４に孔延出方向第一側Ｚ１から挿入される。
【００５２】
その後、雄ネジ部材６が、ケース部材ＣＳの外側からネジ挿入孔２に挿入され、第一端子８に設けられた貫通孔１５及びコイル側端子９に設けられた貫通孔１６を軸方向内側ＸＩに貫通する。そして、ネジ挿入孔２に挿入された雄ネジ部材６が、ケース部材ＣＳの外側からねじ回しなどの工具により回転されて雌ネジ部材５に螺合され、コイル側端子９が第一端子８に固定される。
【００５３】
その後、ネジ挿入孔２の外側開口部４４に、挿入孔カバー部材２４が取り付けられ、ネジ挿入孔２を密閉する。また、ケース部材ＣＳの外側に延出した接続部材７の第二端子４７に、インバータ側配線部材１２が接続される。その後、第二ケース部材ＣＳ２の外側面に、収容室カバー部材２１が接合されて、端子台１が収容室カバー部材２１により覆われる。
【００５４】
〔その他の実施形態〕
以下、その他の実施形態について説明する。なお、以下に説明する各実施形態の構成は、それぞれ単独で適用されるものに限られず、矛盾が生じない限り、他の実施形態の構成と組み合わせて適用することも可能である。
【００５５】
（１）上記の実施形態において、端子台１が取り付けられるケース部材ＣＳが電動機ＭＧに加えて変速装置などの動力伝達装置３６を収容している場合を例として説明した。しかし、端子台１が取り付けられるケース部材ＣＳの形態はこれに限定されない。すなわち、ケース部材ＣＳが電動機ＭＧ以外に、変速装置などの動力伝達装置３６を収容していなくてもよく、或いは他の装置を収容していてもよい。
【００５６】
（２）上記の実施形態において、３つの雄ネジ部材６（ネジ挿入孔２）が互いに平行な状態で、直交方向Ｙに沿って一列に並べられていると共に、３つのコイル側端子９（コイル端子挿入孔４）が、３つの雄ネジ部材６の配設ピッチと同じピッチで、互いに平行な状態で直交方向Ｙに沿って一列に並べられている場合を例として説明した。しかし、雄ネジ部材６（ネジ挿入孔２）の配列はこの態様に限定されない。すなわち、３つの雄ネジ部材６（ネジ挿入孔２）が互いに平行な状態で並べられていなくてもよく、或いは一列に並べられていなくてもよい。また、３つのコイル側端子９（コイル端子挿入孔４）が、互いに平行な状態で並べられていなくてもよく、或いは一列に並べられていなくてもよい。
【００５７】
（３）上記の実施形態において、端子台１は、三相交流式の電動機ＭＧに対応した端子台とされており、３つの接続部材７及び締結部材１１を備えている場合を例として説明した。しかし、接続部材７及び締結部材１１の数は３つに限定されない。すなわち、端子台１は、コイル側端子９の数に合わせた数の接続部材７及び締結部材１１を備えるとよい。
【００５８】
（４）上記の実施形態において、ケース部材ＣＳは、電動機ＭＧを収容する第一ケース部材ＣＳ１と、第一ケース部材ＣＳ１に連結される第二ケース部材ＣＳ２とを備え、取付部１０は、第二ケース部材ＣＳ２におけるインバータ収容室２２を形成する部分に形成されたケース開口部２３に取り付けられている場合を例として説明した。しかし、ケース部材ＣＳや取付部１０の態様は、これに限定されない。すなわち、ケース部材ＣＳは、任意の数のケース部材が連結されて構成されてもよく、取付部１０は、ケース部材ＣＳの任意の位置に設けられたケース開口部に取り付けられてもよい。
【００５９】
（５）上記の実施形態において、コイル側端子９は、コイル端子挿入孔４における、第一端子８よりも軸方向内側ＸＩの空間に挿入される場合を例として説明した。しかし、コイル側端子９は、コイル端子挿入孔４における、第一端子８よりも軸方向外側ＸＯの空間に挿入されるように構成されてもよい。この場合は、雌ネジ保持部１３は、雌ネジ部材５の軸方向Ｘの移動を許容する軸方向移動空間１７を備えずに、雌ネジ部材５を軸方向Ｘに移動させないように構成されてもよい。
【００６０】
（６）上記の実施形態において、端子台１は、ネジ挿入孔２におけるケース部材ＣＳの外側の開口部（外側開口部４４）を覆って密閉する挿入孔カバー部材２４を備える場合を例として説明した。しかし、端子台１は、挿入孔カバー部材２４を備えていなくてもよい。この場合は、例えば、雄ネジ部材６が、雌ネジ部材５に螺合されることにより、雄ネジ部材６の頭部４３などにより、ネジ挿入孔２に備えられた軸部４２が貫通する貫通孔を塞ぎ密閉するように構成されてもよい。
【００６１】
（７）上記の実施形態において、接続部材７は、端子台本体部３の内部をケース部材ＣＳの外側に向かって延びるように構成されている場合を例として説明した。しかし、接続部材７は、端子台本体部３の外部をケース部材ＣＳの外側に向かって延びるように構成されてもよい。この場合は、例えば、接続部材７は、取付部１０に設けられた密閉部の内部を、ケース部材ＣＳの外側に向かって延びるように構成され、接続部材７の周囲の密閉性を保つように構成されてもよい。
【００６２】
（８）上記の実施形態において、ケース部材ＣＳの液密性を保つため、挿入孔カバー部材２４や取付部１０の密閉部などが備えられている場合を例として説明した。しかし、ケース部材ＣＳの内側と外側との間の密閉性を確保する必要がない場合は、挿入孔カバー部材２４や取付部１０の密閉部などが備えられなくてもよい。
【００６３】
（９）上記の実施形態において、雌ネジ部材５は、雄ネジ部材６が雌ネジ部材５に螺合されていない状態で、交差部１４に突出しないように、雌ネジ保持部１３内に配置されている場合を例として説明した。しかし、雌ネジ部材５は、雄ネジ部材６が雌ネジ部材５に螺合されていない状態で、コイル側端子９が挿入可能な程度に、交差部１４に突出するように配置されていてもよい。
【００６４】
（１０）上記の実施形態において、接続部材７は、第一端子８の孔延出方向第一側Ｚ１の端部から、ネジ挿入孔２の孔延出方向第一側Ｚ１に位置する端子台本体部３の内部を、軸方向外側ＸＯに延びた後、ケース部材ＣＳの外側を孔延出方向第一側Ｚ１に延びている場合を例として説明した。しかし、接続部材７の態様はこれに限定されない。例えば、接続部材７は、第一端子８の孔延出方向第二側Ｚ２の端部から、ネジ挿入孔２の孔延出方向第二側Ｚ２に位置する端子台本体部３の内部を、軸方向外側ＸＯに延びた後、ケース部材ＣＳの外側を孔延出方向第二側Ｚ２に延びるように構成されてもよい。
【００６５】
（１１）上記の実施形態において、係止部２８は、係止爪により構成されている場合を例として説明した。しかし、係止部２８は、雌ネジ部材５と雌ネジ保持部１３との間に設けられたゴムなどの弾性部材により構成されてもよい。
【００６６】
２．実施形態の概要
以下、上記において説明した端子台（１）の概要について簡単に説明する。
【００６７】
１つの態様として、ケース部材（ＣＳ）の内側に収容された電動機（ＭＧ）のコイル（ＣＯ）とケース部材（ＣＳ）の外側に配置されたインバータ（ＩＮ）との電気的な接続経路に設けられ、コイル（ＣＯ）側の端子であるコイル側端子（９）を、インバータ（ＩＮ）側の配線部材であるインバータ側配線部材（１２）に接続するための端子台（１）は、インバータ側配線部材（１２）とコイル側端子（９）とを電気的に接続する接続部材（７）と、接続部材（７）の一方の端子である第一端子（８）にコイル側端子（９）を固定する締結部材（１１）と、接続部材（７）を保持する端子台本体部（３）と、を備える。締結部材（１１）は、雌ネジ部材（５）と、雌ネジ部材（５）に螺合される雄ネジ部材（６）とを備え、端子台本体部（３）は、ケース部材（ＣＳ）に取り付けられる取付部（１０）と、ケース部材（ＣＳ）の外側から内側に向かって挿入された雄ネジ部材（６）が配置されるネジ挿入孔（２）と、ケース部材（ＣＳ）の内側に配置され、コイル側端子（９）が挿入されるコイル端子挿入孔（４）と、雌ネジ部材（５）を保持する雌ネジ保持部（１３）と、を備え、コイル端子挿入孔（４）は、ネジ挿入孔（２）に交差するように形成され、第一端子（８）は、コイル端子挿入孔（４）とネジ挿入孔（２）との交差部（１４）に配置され、ネジ挿入孔（２）に配置された雄ネジ部材（６）の回転軸心（Ｃ）に平行な方向を軸方向（Ｘ）とし、軸方向（Ｘ）においてケース部材（ＣＳ）の内側に向かう方向側を軸方向内側（ＸＩ）とし、雌ネジ保持部（１３）は、ネジ挿入孔（２）における、交差部（１４）よりも軸方向内側（ＸＩ）の部分に形成され、雄ネジ部材（６）が、第一端子（８）に設けられた貫通孔（１５）及びコイル側端子（９）に設けられた貫通孔（１６）を貫通し、雌ネジ部材（５）に螺合されることにより、コイル側端子（９）が第一端子（８）に固定される。
【００６８】
この構成によれば、第一端子（８）に設けられた貫通孔（１５）及びコイル側端子（９）に設けられた貫通孔（１６）を雄ネジ部材（６）が貫通し、雌ネジ部材（５）に螺合されることにより、コイル側端子（９）が第一端子（８）に固定される。そして、雄ネジ部材（６）は、ケース部材（ＣＳ）の外側から内側に向かってネジ挿入孔（２）に挿入される。即ち、この構成によれば、ケース部材（ＣＳ）の外側から、コイル側端子（９）をインバータ側配線部材（１２）に接続できる端子台（１）が実現される。従って、結線作業のために、特許文献１のような開口部（サービスホール）を、ケース部材（ＣＳ）に設ける必要がない。換言すれば、ケース部材（ＣＳ）に設ける必要があるのは、電動機（ＭＧ）とインバータ（ＩＮ）との間の配線部材（１２）を通す穴のみでよく、ケース部材（ＣＳ）の形状の自由度が増し、ケース部材（ＣＳ）の大型化や重量増加を招く可能性も減少する。
【００６９】
具体的には、このような構成により、雄ネジ部材（６）をケース部材（ＣＳ）の外側から内側に向かってネジ挿入孔（２）に挿入し、ケース部材（ＣＳ）の外側からねじ回し等の工具により、ネジ挿入孔（２）に挿入された雄ネジ部材（６）を回転させることにより、雄ネジ部材（６）が、ケース部材（ＣＳ）の内側において雌ネジ保持部（１３）に保持された雌ネジ部材（５）に螺合される。これにより、コイル端子挿入孔（４）に挿入されたコイル側端子（９）を、インバータ側配線部材（１２）に接続される接続部材（７）の第一端子（８）に固定させることができる。
【００７０】
ここで、コイル端子挿入孔（４）は、ケース部材（ＣＳ）の内側に配置されているので、ケース部材（ＣＳ）の内側において電動機（ＭＧ）のコイル（ＣＯ）から延びているコイル側端子（９）を挿入することできる。また、コイル端子挿入孔（４）は、ネジ挿入孔（２）に交差するように形成されているので、ケース部材（ＣＳ）の外側から挿入された雄ネジ部材（６）を、コイル端子挿入孔（４）とネジ挿入孔（２）との交差部（１４）に配置された、コイル側端子（９）の貫通孔（１６）に挿入させることができる。また、接続部材（７）の第一端子（８）が、交差部（１４）に配置されているので、ケース部材（ＣＳ）の外側から挿入された雄ネジ部材（６）を、第一端子（８）の貫通孔（１５）に挿入させることができる。
【００７１】
また、雌ネジ保持部（１３）は、ネジ挿入孔（２）における、交差部（１４）よりも軸方向内側（ＸＩ）の部分に形成されているので、雌ネジ部材（５）は、交差部（１４）に配置された第一端子（８）及びコイル側端子（９）よりも軸方向内側（ＸＩ）に配置される。そして、ケース部材（ＣＳ）の外側から挿入された雄ネジ部材（６）を、第一端子（８）の貫通孔（１５）及びコイル側端子（９）の貫通孔（１６）に対して軸方向内側（ＸＩ）に貫通させ、ケース部材（ＣＳ）の外側から雄ネジ部材（６）を雌ネジ部材（５）に螺合させることにより、第一端子（８）及びコイル側端子（９）を、雄ネジ部材（６）と雌ネジ部材（５）とにより軸方向両側から挟み、コイル側端子（９）を第一端子（８）に固定させることができる。よって、ケース部材（ＣＳ）の外側から、コイル側端子（９）を、インバータ側配線部材（１２）に接続する接続部材（７）に接続することができる。
【００７２】
また、１つの態様として、コイル側端子（９）は、コイル端子挿入孔（４）における、第一端子（８）よりも軸方向内側（ＸＩ）の空間に挿入され、雌ネジ保持部（１３）は、雌ネジ部材（５）の軸方向（Ｘ）の移動を許容する軸方向移動空間（１７）と、雌ネジ部材（５）の回転を規制する回転規制部（１８）と、を備えると好適である。
【００７３】
この構成によれば、回転規制部（１８）により雌ネジ部材（５）の回転が規制されているので、ケース部材（ＣＳ）の内側で工具等により雌ネジ部材（５）を保持する必要がなく、ケース部材（ＣＳ）の外側から雄ネジ部材（６）を回転させるだけで、雄ネジ部材（６）を雌ネジ部材（５）に螺合させることができる。また、上記の構成によれば、コイル側端子（９）は、第一端子（８）と雌ネジ部材（５）との間の空間に挿入される。そして、雄ネジ部材（６）が雌ネジ部材（５）に螺合されるに従って、雌ネジ部材（５）を軸方向外側（ＸＯ）に移動させることができ、第一端子（８）と雌ネジ部材（５）とによりコイル側端子（９）を軸方向両側から挟み込み、コイル側端子（９）を第一端子（８）に固定させることができる。
【００７４】
また、１つの態様としては、雌ネジ保持部（１３）は、雌ネジ部材（５）の軸方向（Ｘ）の移動を一定範囲内に規制する軸方向移動規制部（１９）を有すると好適である。
【００７５】
この構成によれば、雌ネジ部材（５）が端子台本体部（３）から脱落することを抑制しつつ、雄ネジ部材（６）が雌ネジ部材（５）に螺合されるに従い、雌ネジ部材（５）を軸方向外側（ＸＯ）に移動させて、雄ネジ部材（６）と雌ネジ部材（５）により、第一端子（８）及びコイル側端子（９）を軸方向両側から挟み込み固定することができる。
【００７６】
また、１つの態様として、ケース部材（ＣＳ）は、電動機（ＭＧ）を収容する第一ケース部材（ＣＳ１）と、第一ケース部材（ＣＳ１）に連結される第二ケース部材（ＣＳ２）とを備え、第一ケース部材（ＣＳ１）と第二ケース部材（ＣＳ２）とは、互いに連通する内側空間（２０）を形成し、インバータ（ＩＮ）は、第二ケース部材（ＣＳ２）と、第二ケース部材（ＣＳ２）の外側面に接合される収容室カバー部材（２１）と、により囲まれたインバータ収容室（２２）に収容され、取付部（１０）は、第二ケース部材（ＣＳ２）におけるインバータ収容室（２２）を形成する部分に形成されたケース開口部（２３）に取り付けられ、コイル（ＣＯ）は、内側空間（２０）において、第一ケース部材（ＣＳ１）側から第二ケース部材（ＣＳ２）側に延びていると好適である。
【００７７】
この構成によれば、電動機（ＭＧ）を収容した第一ケース部材（ＣＳ１）とは異なる第二ケース部材（ＣＳ２）にケース開口部（２３）を設けて端子台１を取り付け、コイル側端子（９）を、ケース部材ＣＳの外側に配置されたインバータ（ＩＮ）側に接続することができる。よって、電動機（ＭＧ）及び第一ケース部材（ＣＳ１）に対する、ケース開口部（２３）の配置の自由度、及びインバータ（ＩＮ）の配置の自由度を高いものとすることができる。また、電動機（ＭＧ）を収容した第一ケース部材（ＣＳ１）を第二ケース部材（ＣＳ２）に連結する際に、電動機（ＭＧ）から延出しているコイル側端子（９）を、コイル端子挿入孔（４）に挿入することができ、端子台（１）の組付けを効率化することができる。
【００７８】
この場合、電動機（ＭＧ）から延出しているコイル側端子（９）の位置公差を大きくすることができる。ケース部材（ＣＳ）に作業用のサービスホールが設けられていない場合、コイル側端子（９）の位置の誤差が大きいと、端子台（１）とコイル側端子（９）との位置合わせが難しくなる可能性がある。しかし、本構成では、いわゆるナット構造（雌ネジ部材（６）及び雌ネジ保持部（１３）の構造）によって誤差を吸収することができ、比較的大きな公差を許容しても確実な組み付けが可能となる。例えば、電動機（ＭＧ）のハウジングに端子台（１）が設けられる場合に比べて、電動機（ＭＧ）のケースに端子台（１）が設けられる場合には、そのような誤差が大きくなる可能性が高くなり、本構成は有効である。特に、電動機（１）をハウジングに固定した後、当該ハウジングとは別のケース（例えば車両等の駆動装置や駆動伝達装置のケースなど）に設けられた端子台（１）においてコイル側端子（９）を締結するような場合に、本構成は有効である。
【００７９】
また、１つの態様として、ネジ挿入孔（２）におけるケース部材（ＣＳ）の外側の開口部（４４）を覆って密閉する挿入孔カバー部材（２４）を更に備え、取付部（１０）は、ケース部材（ＣＳ）に形成されたケース開口部（２３）に取り付けられると共に、ケース開口部（２３）との間を密閉する密閉部（２５）を有し、接続部材（７）は、第一端子（８）から、端子台本体部（３）の内部をケース部材（ＣＳ）の外側に向かって延びる内部延出部（２６）と、ケース部材（ＣＳ）の外側において内部延出部（２６）から端子台本体部（３）の外側に突出し、インバータ側配線部材（１２）に接続される外側延出部（２７）と、を備えると好適である。
【００８０】
この構成によれば、ケース部材（ＣＳ）の内側と外側を連通するネジ挿入孔（２）の外側の開口部（４４）を、挿入孔カバー部材（２４）により密閉することができる。また、取付部（１０）に備えられた密閉部（２５）により、ケース開口部（２３）と取付部（１０）との間を密閉することができる。また、接続部材（７）は、端子台本体部（３）の内部をケース部材（ＣＳ）の外側に向かって延びるので、ケース部材（ＣＳ）の内部を内側から外側に貫通する接続部材（７）の周囲を端子台本体部（３）により密閉することができる。これらの密閉機構により、ケース部材ＣＳの液密性を保つことができる。また、液密性を保ちながら、接続部材（７）を、ケース部材（ＣＳ）の内側に配置された第一端子（８）から、ケース部材（ＣＳ）の外側に延ばして、ケース部材（ＣＳ）の外側に配置されるインバータ側配線部材（１２）に接続することができる。
【００８１】
また、１つの態様として、コイル側端子（９）は、コイル端子挿入孔（４）における、第一端子（８）よりも軸方向内側（ＸＩ）の空間に挿入され、雌ネジ部材（５）は、雄ネジ部材（６）が雌ネジ部材（５）に螺合されていない状態で、交差部（１４）に突出しないように、雌ネジ保持部（１３）内に配置されていると好適である。
【００８２】
この構成によれば、雌ネジ部材（５）がコイル端子挿入孔（４）に突出していないので、コイル側端子（９）をコイル端子挿入孔（４）に挿入し易くなる。従って、コイル側端子（９）の位置ずれも許容される。
【００８３】
また、１つの態様として、雌ネジ保持部（１３）は、軸方向内側（ＸＩ）とは反対方向側である軸方向外側（ＸＯ）への雌ネジ部材（５）の移動を抑制する係止部（２８）を有し、係止部（２８）は、雌ネジ部材（５）の自重により雌ネジ部材（５）に作用し得る軸方向外側（ＸＯ）向きの力よりも大きく、雌ネジ部材（５）と雄ネジ部材（６）との螺合により雌ネジ部材（５）に作用する軸方向外側（ＸＯ）向きの力よりも小さい軸方向（Ｘ）の保持力を生じさせると好適である。
【００８４】
この構成によれば、雄ネジ部材（６）を雌ネジ部材（５）に螺合させる前は、係止部（２８）により、雌ネジ部材（５）がコイル端子挿入孔（４）側に突出しないように保持させることができるので、コイル側端子（９）をコイル端子挿入孔（４）に挿入し易くなる。従って、コイル側端子（９）の位置ずれも許容される。
【符号の説明】
【００８５】
１        ：端子台
２        ：ネジ挿入孔
３        ：端子台本体部
４        ：コイル端子挿入孔
５        ：雌ネジ部材
６        ：雄ネジ部材
７        ：接続部材
８        ：接続部材の第一端子
９        ：コイル側端子
１０      ：取付部
１１      ：締結部材
１２      ：インバータ側配線部材
１３      ：雌ネジ保持部
１４      ：交差部
１５      ：第一端子の貫通孔
１６      ：コイル側端子の貫通孔
１７      ：軸方向移動空間
１８      ：回転規制部
１９      ：軸方向移動規制部
２０      ：ケース部材の内側空間
２１      ：収容室カバー部材
２２      ：インバータ収容室
２３      ：ケース開口部
２４      ：挿入孔カバー部材
２５      ：密閉部
２８      ：係止部
２９      ：蓋部材
４２      ：雄ネジ部材の軸部
４３      ：雄ネジ部材の頭部
４４      ：ネジ挿入孔の外側の開口部
Ａ        ：電動機の回転軸心
Ｃ        ：雄ネジ部材の回転軸心
ＣＯ      ：コイル
ＣＳ      ：ケース部材
ＣＳ１    ：第一ケース部材
ＣＳ２    ：第二ケース部材
ＩＮ      ：インバータ
ＭＧ      ：電動機
Ｘ        ：軸方向
ＸＩ      ：軸方向内側
ＸＯ      ：軸方向外側
Ｙ        ：直交方向
Ｚ        ：孔延出方向
Ｚ１      ：孔延出方向第一側
Ｚ２      ：孔延出方向第二側
【図１】
2016035476.tif 000003
【図２】
2016035476.tif 000004
【図３】
2016035476.tif 000005
【図４】
2016035476.tif 000006
【図５】
2016035476.tif 000007
【国際調査報告】
2016035476.tif 000008
2016035476.tif 000009